(57)【特許請求の範囲】
【請求項１】
試料中の標的タンパク質またはペプチドのセットのレベルおよび／またはリン酸化状態を同時に決定するための方法であって、
該標的タンパク質またはペプチドは、ｅＩＦ４Ｅ（ＮＰ＿００１９５９．１）、ＨｕＲ（ＮＰ＿００１４１０、ＮＰ＿００１４１０．２）、ならびに、以下：サイクリンＤ１（ＮＰ＿４４４２８４，ＮＰ＿４４４２８４．１）；ＮＢＳ／Ｎｉｂｒｉｎ（ＮＰ＿００２４７６．２）；Ｐｉｍ−１（ＮＰ＿００２６３９，ＮＰ＿００２６３９．１）；サイクリンＢ１（ＮＰ＿１１４１７２．１）；サイクリンＡ２（ＮＰ＿００１２２８，ＮＰ＿００１２２８．１）；ＯＤＣ（ＮＰ＿００２５３０，ＮＰ＿００２５３０．１）；ＶＥＧＦ（ＮＰ＿００３３６７．４）；Ｓｋｐ２（ＮＰ＿００５９７４．２，ＮＰ＿１１６０２６．１）；サイクリンＥ１（ＮＰ＿００１２２９．１）；ｃ−ｍｙｃ（ＮＰ＿００２４５８．２）；ＦＧＦ２（ＮＰ＿００１９９７．５）；ＭＭＰ−９（ＮＰ＿００４９８５．２）；ｍｄｍ２（ＮＰ＿００２３８３．２）；カスパーゼ−９（ＮＰ＿００１２２０．２，ＮＰ＿１２７４６３．１）；ｂｃｌ２（ＮＰ＿０００６２４．２，ＮＰ＿０００６４８．２）；Ｂｃｌ／ｘＬ（ＮＰ＿６１２８１５．１）；セレノプロテインＳ（ＮＰ＿０６０９１５．２）；ｅＩＦ４Ｅ−ＢＰ１（ＮＰ＿００４０８６，ＮＰ＿００４０８６．１）；Ａｋｔ１（ＮＰ＿００１０１４４３２，ＮＰ＿００１０１４４３１．１，ＮＰ＿００５１５４．２，ＮＰ＿００１０１４４３２．１）；ＰＩ３Ｋ（ＮＰ＿００６２０９．２，ＮＰ＿００２６４０．２）；ＧＳＫ３Ｂ（ＮＰ＿００２０８４．２）；およびｍＴＯＲ／ＦＲＡＰ１（ＮＰ＿００４９４９．１）からなる群より選択される少なくとも１つのｅＩＦ４Ｅレギュロン成分であり、該方法は：
（ａ）ｅＩＦ４Ｅ、ＨｕＲ、ならびにサイクリンＤ１、ＮＢＳ／Ｎｉｂｒｉｎ、Ｐｉｍ−１、サイクリンＢ１、サイクリンＡ２、ＯＤＣ、ＶＥＧＦ、Ｓｋｐ２、サイクリンＥ１、ｃ−ｍｙｃ、ＦＧＦ２、ＭＭＰ−９、ｍｄｍ２、カスパーゼ−９、ｂｃｌ２、Ｂｃｌ／ｘＬ、セレノプロテインＳ、ｅＩＦ４Ｅ−ＢＰ１、Ａｋｔ１、ＰＩ３Ｋ、ＧＳＫ３Ｂ、およびｍＴＯＲ／ＦＲＡＰ１からなる群より選択される該少なくとも１つのｅＩＦ４Ｅレギュロン成分の各標的タンパク質に対応する少なくとも１つの内部標準タンパク質またはペプチド、を該試料に添加するステップと、
（ｂ）ｅＩＦ４Ｅ、ＨｕＲおよび該少なくとも１つのｅＩＦ４Ｅレギュロン成分の該標的タンパク質またはペプチド、ならびに該少なくとも３つの対応する内部標準タンパク質またはペプチドを断片化することによって、該ｅＩＦ４Ｅ、該ＨｕＲ、および該少なくとも１つのｅＩＦ４Ｅレギュロン成分、ならびに該少なくとも３つの対応する内部標準タンパク質またはペプチドの断片を生成するステップと、
（ｃ）該対応する質量を分析し、そして該ステップ（ｂ）から得られた断片の量を、質量分析に基づく方法によって決定するステップと、
（ｄ）ステップ（ｃ）からの結果を用いて、該ｅＩＦ４Ｅ、該ＨｕＲおよび該少なくとも１つのｅＩＦ４Ｅレギュロン成分の標的タンパク質またはペプチドのレベルおよび／またはリン酸化状態を決定および定量するステップと
を含む方法。
【請求項２】
（ａ）前記少なくとも１つのｅＩＦ４Ｅレギュロン成分が、以下：サイクリンＤ１（ＮＰ＿４４２８４，ＮＰ＿４４２８４．１）；ＮＢＳ／Ｎｉｂｒｉｎ（ＮＰ＿００２４７６．２）；Ｐｉｍ−１（ＮＰ＿００２６３９，ＮＰ＿００２６３９．１）；サイクリンＡ２（ＮＰ＿００１２２８，ＮＰ＿００１２２８．１）；ＯＤＣ（ＮＰ＿００２５３０，ＮＰ＿００２５３０．１）；ＶＥＧＦ（ＮＰ＿００３３６７．４）；Ｓｋｐ２（ＮＰ＿００５９７４．２，ＮＰ＿１１６０２６．１）；サイクリンＥ１（ＮＰ＿００１２２９．１）；ＭＭＰ−９（ＮＰ＿００４９８５．２）；カスパーゼ−９（ＮＰ＿１２７４６３，ＮＰ＿００１２２０．２，ＮＰ＿１２７４６３．１）；Ｂｃｌ／ｘＬ（ＮＰ＿６１２８１５．１）；ｅＩＦ４Ｅ−ＢＰ１（ＮＰ＿００４０８６，ＮＰ＿００４０８６．１）；Ａｋｔ１（ＮＰ＿００１０１４４３２，ＮＰ＿００１０１４４３２．１，ＮＰ＿００５１５４．２，ＮＰ＿００１０１４４３１．１）からなる群より選択され；そして
（ｂ）該少なくとも１つのｅＩＦ４Ｅレギュロン成分に対応する前記少なくとも１つの内部標準タンパク質またはペプチドは、サイクリンＤ１、ＮＢＳ／Ｎｉｂｒｉｎ、Ｐｉｍ−１、サイクリンＡ２、ＯＤＣ、ＶＥＧＦ、Ｓｋｐ２、サイクリンＥ１、ＭＭＰ−９、カスパーゼ−９、Ｂｃｌ／ｘＬ、ｅＩＦ４Ｅ−ＢＰ１およびＡｋｔ１からなる群より選択される、
請求項１に記載の方法。
【請求項３】
前記質量分析に基づく方法が液体クロマトグラフィー−質量選択／質量分析（ＬＣ−ＭＳ／ＭＳ）である、請求項１に記載の方法。
【請求項４】
ステップ（ｂ）において、断片化は、酸、塩基、臭化シアン、およびｏ−ヨード安息香酸からなる群より選択される化学薬剤；トロンビン、トリプシンおよびキモトリプシンからなる群から選択される酵素またはプロテアーゼ；あるいは質量分析に基づく断片化方法の付加および／またはこれらへの曝露によって媒介される、請求項１に記載の方法。
【請求項５】
前記断片化は、酵素またはプロテアーゼの付加および／または曝露によって媒介され、該酵素またはプロテアーゼは、トロンビン、トリプシンおよびキモトリプシンからなる群より選択される、請求項４に記載の方法。
【請求項６】
前記酵素またはプロテアーゼはトリプシンである、請求項５に記載の方法。
【請求項７】
（ａ）ｅＩＦ４Ｅのレベルおよび／またはリン酸化状態は、ＷＡＬＷＦＦＫ（配列番号２）、ＤＧＩＥＰＭＷＥＤＥＫ（配列番号１５２）、ＩＡＩＷＴＴＥＣＥＮＲ（配列番号１５３）、ＩＶＩＧＹＱＳＨＡＤＴＡＴＫ（配列番号１５４）、ＴＥＳＮＱＥＶＡＮＰＥＨＹＩＫ（配列番号１５５）、ＭＡＴＶＥＰＥＴＴＰＴＰＮＰＰＴＴＥＥＥＫ（配列番号１５６）、ＦＷＬＥＴＬＬＣＬＩＧＥＳＦＤＤＹＳＤＤＶＣＧＡＶＶＮＶＲ（配列番号１５７）、およびＦＤＴＶＥＤＦＷＡＬＹＮＨＩＱＬＳＳＮＬＭＰＧＣＤＹＳＬＦＫ（配列番号１５８）からなる群より選択される少なくとも１つの断片の分析に少なくとも部分的に基づいて決定され；
（ｂ）ＨｕＲのレベルおよび／またはリン酸化状態は、ＤＶＥＤＭＦＳＲ（配列番号１３９）、ＦＡＡＮＰＮＱＮＫ（配列番号１４０）、ＶＬＶＤＱＴＴＧＬＳＲ（配列番号１４１）、ＤＡＮＬＹＩＳＧＬＰＲ（配列番号１４２）、ＦＧＧＰＶＨＨＱＡＱＲ（配列番号１４３）、ＶＳＹＡＲＰＳＳＥＶＩＫ（配列番号１４４）、ＳＬＦＳＳＩＧＥＶＥＳＡＫ（配列番号１４５）、ＮＶＡＬＬＳＱＬＹＨＳＰＡＲ（配列番号１４６）、ＭＳＮＧＹＥＤＨＭＡＥＤＣＲ（配列番号１４７）、ＶＡＧＨＳＬＧＹＧＦＶＮＹＶＴＡＫ（配列番号１４８）、ＴＮＬＩＶＮＹＬＰＱＮＭＴＱＤＥＬＲ（配列番号１４９）、ＳＥＡＥＥＡＩＴＳＦＮＧＨＫＰＰＧＳＳＥＰＩＴＶＫ（配列番号１５０）、およびＧＦＧＦＶＴＭＴＮＹＥＥＡＡＭＡＩＡＳＬＮＧＹＲ（配列番号１５１）からなる群より選択される少なくとも１つの断片の分析に少なくとも部分的に基づいて決定され；
（ｃ）サイクリン  Ｄ１のレベルおよび／またはリン酸化状態は、ＥＴＩＰＬＴＡＥＫ（配列番号１０２）、ＱＡＱＱＮＭＤＰＫ（配列番号１０３）、ＳＰＮＮＦＬＳＹＹＲ（配列番号１０４）、ＡＹＰＤＡＮＬＬＮＤＲ（配列番号１０５）、ＡＥＥＴＣＡＰＳＶＳＹＦＫ（配列番号１０６）、ＬＱＬＬＧＡＴＣＭＦＶＡＳＫ（配列番号１０７）、ＨＡＱＴＦＶＡＬＣＡＴＤＶＫ（配列番号１０８）、ＩＶＡＴＷＭＬＥＶＣＥＥＱＫ（配列番号１０９）、ＡＣＱＥＱＩＥＡＬＬＥＳＳＬＲ（配列番号１１０）、ＭＥＨＱＬＬＣＣＥＶＥＴＩＲ（配列番号１１１）、ＣＥＥＥＶＦＰＬＡＭＮＹＬＤＲ（配列番号１１２）、ＷＮＬＡＡＭＴＰＨＤＦＩＥＨＦＬＳＫ（配列番号１１３）、ＦＩＳＮＰＰＳＭＶＡＡＧＳＶＶＡＡＶＱＧＬＮＬＲ（配列番号１１４）、ＡＡＥＥＥＥＥＥＥＥＥＶＤＬＡＣＴＰＴＤＶＲ（配列番号１１５）、およびＬＣＩＹＴＤＮＳＩＲＰＥＥＬＬＱＭＥＬＬＬＶＮＫ（配列番号１１６）からなる群より選択される少なくとも１つの断片の分析に少なくとも部分的に基づいて決定され；
（ｄ）ＮＢＳ／Ｎｉｂｒｉｎのレベルおよび／またはリン酸化状態は、ＩＳＱＥＮＥＩＧＫ（配列番号４９）、ＭＬＳＱＤＡＰＴＶＫ（配列番号５０）、ＩＰＮＹＱＬＳＰＴＫ（配列番号５１）、ＬＱＤＤＳＥＭＬＰＫ（配列番号５２）、ＮＴＥＬＥＥＷＬＲ（配列番号５３）、ＥＥＳＬＡＤＤＬＦＲ（配列番号５４）、ＬＳＳＡＶＶＦＧＧＧＥＡＲ（配列番号５５）、ＡＳＱＱＱＱＴＮＳＩＲ（配列番号５６）、ＳＧＤＧＩＴＦＧＶＦＧＳＫ（配列番号５７）、ＤＴＫＰＥＬＥＩＤＶＫ（配列番号５８）、ＱＥＭＥＶＱＮＱＨＡＫ（配列番号５９）、ＤＥＥＮＱＥＭＳＳＣＫ（配列番号６０）、ＮＰＳＧＩＮＤＤＹＧＱＬＫ（配列番号６１）、ＷＩＱＳＩＭＤＭＬＱＲ（配列番号６２）、ＴＳＳＮＮＮＳＭＶＳＮＴＬＡＫ（配列番号６３）、ＮＹＣＤＰＱＧＨＰＳＴＧＬＫ（配列番号６４）、ＴＴＴＰＧＰＳＬＳＱＧＶＳＶＤＥＫ（配列番号６５）、ＬＰＨＩＩＧＧＳＤＬＩＡＨＨＡＲ（配列番号６６）、ＥＭＤＤＶＡＩＥＤＥＶＬＥＱＬＦＫ（配列番号６７）、ＩＥＹＥＰＬＶＡＣＳＳＣＬＤＶＳＧＫ（配列番号６８）、ＭＤＩＥＴＮＤＴＦＳＤＥＡＶＰＥＳＳＫ（配列番号６９）、ＱＰＰＱＩＥＳＦＹＰＰＬＤＥＰＳＩＧＳＫ（配列番号７０）、ＱＧＬＲＰＩＰＥＡＥＩＧＬＡＶＩＦＭＴＴＫ（配列番号７１）、ＩＥＴＳＣＳＬＬＥＱＴＱＰＡＴＰＳＬＷＫ（配列番号７２）、ＴＩＣＡＬＩＣＧＲＰＩＶＫＰＥＹＦＴＥＦＬＫ（配列番号７３）、ＥＱＨＬＳＥＮＥＰＶＤＴＮＳＤＮＮＬＦＴＤＴＤＬＫ（配列番号７４）、ＬＭＰＳＡＰＶＮＴＴＴＹＶＡＤＴＥＳＥＱＡＤＴＷＤＬＳＥＲＰＫ（配列番号７５）、およびＴＡＬＮＱＡＩＬＱＬＧＧＦＴＶＮＮＷＴＥＥＣＴＨＬＶＭＶＳＶＫ（配列番号７６）からなる群より選択される少なくとも１つの断片の分析に少なくとも部分的に基づいて決定され；
（ｅ）Ｐｉｍ−１のレベルおよび／またはリン酸化状態は、ＶＳＳＧＦＳＧＶＩＲ（配列番号３４）、ＶＰＭＥＶＶＬＬＫ（配列番号３５）、ＶＳＤＮＬＰＶＡＩＫ（配列番号３６）、ＬＩＤＦＧＳＧＡＬＬＫ（配列番号３７）、ＶＹＳＰＰＥＷＩＲ（配列番号３８）、ＡＡＰＣＮＤＬＨＡＴＫ（配列番号３９）、ＤＥＮＩＬＩＤＬＮＲ（配列番号４０）、ＶＳＳＥＣＱＨＬＩＲ（配列番号４１）、ＤＴＶＹＴＤＦＤＧＴＲ（配列番号４２）、ＨＣＨＮＣＧＶＬＨＲ（配列番号４３）、ＩＳＤＷＧＥＬＰＮＧＴＲ（配列番号４４）、ＳＦＦＷＱＶＬＥＡＶＲ（配列番号４５）、ＥＰＬＥＳＱＹＱＶＧＰＬＬＧＳＧＧＦＧＳＶＹＳＧＩＲ（配列番号４６）、ＳＡＡＶＷＳＬＧＩＬＬＹＤＭＶＣＧＤＩＰＦＥＨＤＥＥＩＩＲ（配列番号４７）、およびＬＬＤＷＦＥＲＰＤＳＦＶＬＩＬＥＲＰＥＰＶＱＤＬＦＤＦＩＴＥＲ（配列番号４８）からなる群より選択される少なくとも１つの断片の分析に少なくとも部分的に基づいて決定され；
（ｆ）サイクリン  Ａ２のレベルおよび／またはリン酸化状態は、ＧＬＡＱＱＱＲＰＫ（配列番号１２１）、ＦＬＳＳＭＳＶＬＲ（配列番号１２２）、ＱＰＤＩＴＮＳＭＲ（配列番号１２３）、ＡＰＱＨＡＱＱＳＩＲ（配列番号１２４）、ＭＬＧＮＳＡＰＧＰＡＴＲ（配列番号１２５）、ＬＱＬＶＧＴＡＡＭＬＬＡＳＫ（配列番号１２６）、ＱＰＡＦＴＩＨＶＤＥＡＥＫ（配列番号１２７）、ＥＤＡＬＡＦＮＳＡＩＳＬＰＧＰＲ（配列番号１２８）、ＹＨＧＶＳＬＬＮＰＰＥＴＬＮＬ（配列番号１２９）、ＤＬＰＶＮＤＥＨＶＴＶＰＰＷＫ（配列番号１３０）、ＡＩＬＶＤＷＬＶＥＶＧＥＥＹＫ（配列番号１３１）、ＬＱＮＥＴＬＨＬＡＶＮＹＩＤＲ（配列番号１３２）、ＶＥＳＬＡＭＦＬＧＥＬＳＬＩＤＡＤＰＹＬＫ（配列番号１３３）、ＴＧＹＴＬＥＳＬＫＰＣＬＭＤＬＨＱＴＹＬＫ（配列番号１３４）、ＦＥＥＩＹＰＰＥＶＡＥＦＶＹＩＴＤＤＴＹＴＫ（配列番号１３５）、ＥＡＧＳＡＬＬＡＬＱＱＴＡＬＱＥＤＱＥＮＩＮＰＥＫ（配列番号１３６）、ＹＬＰＳＶＩＡＧＡＡＦＨＬＡＬＹＴＶＴＧＱＳＷＰＥＳＬＩＲ（配列番号１３７）、およびＶＬＴＦＤＬＡＡＰＴＶＮＱＦＬＴＱＹＦＬＨＱＱＰＡＮＣＫ（配列番号１３８）からなる群より選択される少なくとも１つの断片の分析に少なくとも部分的に基づいて決定され；
（ｆ）サイクリン  Ａ２のレベルおよび／またはリン酸化状態は、ＧＬＡＱＱＱＲＰＫ（配列番号１２１）、ＦＬＳＳＭＳＶＬＲ（配列番号１２２）、ＱＰＤＩＴＮＳＭＲ（配列番号１２３）、ＡＰＱＨＡＱＱＳＩＲ（配列番号１２４）、ＭＬＧＮＳＡＰＧＰＡＴＲ（配列番号１２５）、ＬＱＬＶＧＴＡＡＭＬＬＡＳＫ（配列番号１２６）、ＱＰＡＦＴＩＨＶＤＥＡＥＫ（ＳＥＱＩＤ１２７）、ＥＤＡＬＡＦＮＳＡＩＳＬＰＧＰＲ（配列番号１２８）、ＹＨＧＶＳＬＬＮＰＰＥＴＬＮＬ（配列番号１２９）、ＤＬＰＶＮＤＥＨＶＴＶＰＰＷＫ（配列番号１３０）、ＡＩＬＶＤＷＬＶＥＶＧＥＥＹＫ（配列番号１３１）、ＬＱＮＥＴＬＨＬＡＶＮＹＩＤＲ（配列番号１３２）、ＶＥＳＬＡＭＦＬＧＥＬＳＬＩＤＡＤＰＹＬＫ（配列番号１３３）、ＴＧＹＴＬＥＳＬＫＰＣＬＭＤＬＨＱＴＹＬＫ（配列番号１３４）、ＦＥＥＩＹＰＰＥＶＡＥＦＶＹＩＴＤＤＴＹＴＫ（配列番号１３５）、ＥＡＧＳＡＬＬＡＬＱＱＴＡＬＱＥＤＱＥＮＩＮＰＥＫ（配列番号１３６）、ＹＬＰＳＶＩＡＧＡＡＦＨＬＡＬＹＴＶＴＧＱＳＷＰＥＳＬＩＲ（配列番号１３７）、およびＶＬＴＦＤＬＡＡＰＴＶＮＱＦＬＴＱＹＦＬＨＱＱＰＡＮＣＫ（配列番号１３８）からなる群より選択される少なくとも１つの断片の分析に少なくとも部分的に基づいて決定され；
（ｇ）ＯＤＣのレベルおよび／またはリン酸化状態は、ＹＦＰＳＤＳＧＶＲ（配列番号７７）、ＩＮＥＶＳＳＳＤＤＫ（配列番号７８）、ＴＬＡＡＴＧＴＧＦＤＣＡＳＫ（配列番号７９）、ＤＡＦＹＶＡＤＬＧＤＩＬＫ（配列番号８０）、ＦＥＥＩＴＧＶＩＮＰＡＬＤＫ（配列番号８１）、ＴＥＩＱＬＶＱＳＬＧＶＰＰＥＲ（配列番号８２）、ＹＹＶＡＳＡＦＴＬＡＶＮＩＩＡＫ（配列番号８３）、ＹＹＳＳＳＩＷＧＰＴＣＤＧＬＤＲ（配列番号８４）、ＹＡＡＮＮＧＶＱＭＭＴＦＤＳＥＶＥＬＭＫ（配列番号８５）、ＭＮＮＦＧＮＥＥＦＤＣＨＦＬＤＥＧＦＴＡＫ（配列番号８６）、ＣＶＦＤＭＧＡＥＶＧＦＳＭＹＬＬＤＩＧＧＧＦＰＧＳＥＤＶＫ（配列番号８７）、およびＥＬＮＩＤＶＶＧＶＳＦＨＶＧＳＧＣＴＤＰＥＴＦＶＱＡＩＳＤＡＲ（配列番号８８）からなる群より選択される少なくとも１つの断片の分析に少なくとも部分的に基づいて決定され；
（ｈ）ＶＥＧＦのレベルおよび／またはリン酸化状態は、ＡＧＥＡＥＰＳＧＡＡＲ（配列番号８９）、ＬＦＶＱＬＬＧＣＳＲ（配列番号９０）、ＧＡＥＥＳＧＰＰＨＳＰＳＲ（配列番号９１）、ＱＥＮＰＣＧＰＣＳＥＲ（配列番号９２）、ＨＬＦＶＱＤＰＱＴＣＫ（配列番号９３）、ＧＱＧＰＥＰＡＰＧＧＧＶＥＧＶＧＡＲ（配列番号９４）、ＥＥＰＱＰＥＥＧＥＥＥＥＥＫ（配列番号９５）、ＱＴＤＴＡＰＳＰＳＹＨＬＬＰＧＲ（配列番号９６）、ＫＰＧＳＷＴＧＥＡＡＶＣＡＤＳＡＰＡＡＲ（配列番号９７）、ＷＳＱＡＡＰＭＡＥＧＧＧＱＮＨＨＥＶＶＫ（配列番号９８）、ＩＫＰＨＱＧＱＨＩＧＥＭＳＦＬＱＨＮＫ（配列番号９９）、ＣＧＧＣＣＮＤＥＧＬＥＣＶＰＴＥＥＳＮＩＴＭＱＩＭＲ（配列番号１００）、およびＡＳＥＴＭＮＦＬＬＳＷＶＨＷＳＬＡＬＬＬＹＬＨＨＡＫ（配列番号１０１）からなる群より選択される少なくとも１つの断片の分析に少なくとも部分的に基づいて決定され；
（ｉ）ｅＩＦ４Ｅ−ＢＰ１のレベルおよび／またはリン酸化状態は、ＡＧＧＥＥＳＱＦＥＭＤＩ（配列番号１１７）、ＭＳＧＧＳＳＣＳＱＴＰＳＲ（配列番号１１８）、ＤＬＰＴＩＰＧＶＴＳＰＳＳＤＥＰＰＭＥＡＳＱＳＨＬＲ（配列番号１１９）、およびＶＶＬＧＤＧＶＱＬＰＰＧＤＹＳＴＴＰＧＧＴＬＦＳＴＴＰＧＧＴＲ（配列番号１２０）からなる群より選択される少なくとも１つの断片の分析に少なくとも部分的に基づいて決定され；
（ｊ）Ａｋｔ１のレベルおよび／またはリン酸化状態は、ＮＤＧＴＦＩＧＹＫ（配列番号１２）、ＹＳＦＱＴＨＤＲ（配列番号１３）、ＥＲＰＱＤＶＤＱＲ（配列番号１４）、ＱＥＥＥＥＭＤＦＲ（配列番号１５）、ＴＦＨＶＥＴＰＥＥＲ（配列番号１６）、ＶＴＭＮＥＦＥＹＬＫ（配列番号１７）、ＤＥＶＡＨＴＬＴＥＮＲ（配列番号１８）、ＬＰＦＹＮＱＤＨＥＫ（配列番号１９）、ＣＬＱＷＴＴＶＩＥＲ（配列番号２０）、ＬＦＥＬＩＬＭＥＥＩＲ（配列番号２１）、ＴＥＲＰＲＰＮＴＦＩＩＲ（配列番号２２）、ＦＦＡＧＩＶＷＱＨＶＹＥＫ（配列番号２３）、ＲＰＨＦＰＱＦＳＹＳＡＳＧＴＡ（配列番号２４）、ＥＥＷＴＴＡＩＱＴＶＡＤＧＬＫ（配列番号２５）、ＬＳＰＰＦＫＰＱＶＴＳＥＴＤＴＲ（配列番号２６）、ＥＡＰＬＮＮＦＳＶＡＱＣＱＬＭＫ（配列番号２７）、ＦＹＧＡＥＩＶＳＡＬＤＹＬＨＳＥＫ（配列番号２８）、ＳＧＳＰＳＤＮＳＧＡＥＥＭＥＶＳＬＡＫＰＫ（配列番号２９）、ＡＶＤＷＷＧＬＧＶＶＭＹＥＭＭＣＧＲ（配列番号３０）、ＬＣＦＶＭＥＹＡＮＧＧＥＬＦＦＨＬＳＲ（配列番号３１）、ＴＦＣＧＴＰＥＹＬＡＰＥＶＬＥＤＮＤＹＧＲ（配列番号３２）、およびＹＦＤＥＥＦＴＡＱＭＩＴＩＴＰＰＤＱＤＤＳＭＥＣＶＤＳＥＲ（配列番号３３）からなる群より選択される少なくとも１つの断片の分析に少なくとも部分的に基づいて決定される、
請求項１に記載の方法。
【発明の詳細な説明】
【技術分野】
【０００１】
（関連出願への相互参照）
本願は、２００７年１１月６日に出願された米国仮特許出願第６０／９８５，７８７号への優先権を主張し、この米国仮特許出願の全体の内容は、本明細書中に明確に参考として援用される。
【背景技術】
【０００２】
背景
質量分析は、小分子のためのロバストなアッセイプラットフォームとして十分に確立されているが、タンパク質およびペプチドの探索研究ツールとしかみなされないことが多い。これは一部には、質量分析に基づくアッセイの処理量が限られているためであり、また大部分の標的ペプチドおよびタンパク質に関して、特に標的分子の濃度が低い場合には、多くの試料処理を必要とするためである。もしこの制限を克服することができれば、質量分析に基づくアッセイは抗体に基づくアッセイと比較して利点を有する。例えば、ペプチドに対する抗体を作製するために何カ月もかかることに比べて、標的タンパク質のアミノ酸配列が公知である場合、参照ペプチドの合成を数日以内で行うことができる。参照ペプチドが入手できれば、標的ペプチドを測定するための質量分析条件の設定は１週間とかからない。複数回の試薬作製および評価を伴う場合、質量分析に基づくアッセイおよび抗体に基づくアッセイを設定する時間の差はさらに大きくなる可能性がある。これらの利点にもかかわらず、分析前に標的を濃縮する必要があるため、多くの標的タンパク質は質量分析の適用範囲外である。最もよく使用される標的濃縮方法は抗体の使用であるが、所望の抗体が既に入手可能でない限り、これは質量分析に基づくアッセイの利点を無効にする。
【０００３】
真核生物翻訳開始因子ｅＩＦ４Ｅ（「４Ｅ」）は、細胞増殖の調節に関与する。４Ｅの中程度の過剰発現は、増殖の制御不良および悪性転換を引き起こす。４Ｅの核および細胞質機能はともに、細胞を形質転換させる能力に寄与する。インビボでの４Ｅの過剰発現は結果として明らかな腫瘍形成をもたらし、４Ｅ過剰発現がｍｙｃマウスのバックグラウンドとの関連で位置付けられる場合、腫瘍形成の開始は顕著に促進され、４Ｅが他の腫瘍遺伝子と協調して作用することにより腫瘍形質転換を促進することを重ねて示唆する。４Ｅは、癌において上方制御されるとその発現から転移性疾患が予測される７つの遺伝子のうちの１つに相当すると考えられる。切除縁内の４Ｅ活性上昇の存在が予後不良因子であることを示す様々な研究がなされてきた。
【０００４】
核において、４Ｅは、ほとんどすべての細胞周期の進行段階に強い影響を与えるＲＮＡレギュロンにおける重要な中心点である（非特許文献１；非特許文献２；非特許文献３）。特に４Ｅは、細胞周期の進行に関与するいくつかの遺伝子のｍＲＮＡ輸出を、また場合によっては翻訳も、協調的に促進する。例えば、４Ｅは、ＧＡＰＤＨまたはアクチンｍＲＮＡの細胞質輸送に対して核に影響を与えずに、少なくとも２つのｍＲＮＡ、サイクリンＤ１およびオルニチンデカルボキシラーゼ（ＯＤＣ）の核から細胞質への輸出を促進するよう機能する。さらに、４ＥのｍＲＮＡ輸出機能は、その発癌性形質転換活性に関係しているという証拠がある。悪性の表現型を維持および亢進する腫瘍抑制因子および腫瘍遺伝子の発現の制御不良が記述されている。ｐ５３、Ｒｂ、およびＡＰＣのような腫瘍抑制因子ならびにｍｙｃ、サイクリンＤ１および４Ｅなどの腫瘍遺伝子がこれらの分子に含まれる。これらの相互作用は、主要な要素の不活性化が腫瘍表現型の反転および時に持続的な欠損をもたらす恐れのある、自己強化型フィードバックループのネットワークを構成する。
【０００５】
４Ｅは、乳房腫瘍、結腸腫瘍、頭頸部腫瘍、甲状腺腫瘍、肺腫瘍、非ホジキンリンパ腫、前立腺腫瘍、子宮頸部腫瘍、膀胱腫瘍、ならびに慢性および急性骨髄性白血病を含む幅広い種類の悪性細胞株および原発性ヒト腫瘍において過剰発現される。一貫して、齧歯類細胞において４Ｅの中程度の過剰発現であっても、無秩序な増殖および悪性形質転換を引き起こす。
【０００６】
キャップ依存性翻訳の重要なステップで作用すること、および５’７−メチルグアノシンｍＲＮＡキャップ構造との特異的相互作用の結果としてリボソームへと転写産物を動員することにより、真核生物の成長および生存に不可欠であるにもかかわらず、４Ｅの上方制御は、４Ｅ感受性転写産物の特異的サブセットのみを除くすべてのキャップ依存性転写産物の翻訳を増加させない。
【０００７】
４Ｅの７０％もが哺乳動物細胞の核内に存在し、酵母、Ｘｅｎｏｐｕｓおよびヒトを含む広範な種類の生物において核小体と結合している。ここで、４Ｅは、サイクリンＤ１などの特異的なサブセットの転写産物のｍＲＮＡ輸送を促進するが、Ｂ−アクチンおよびＧＡＰＤＨなどのハウスキーピング遺伝子のｍＲＮＡ輸送は促進しない。４Ｅに仲介されるｍＲＮＡ輸送および翻訳レベルでの遺伝子発現の転写後制御は、異なる遺伝子特異性を示し、輸送レベル（例えば、サイクリンＤ１）で制御されるものもあれば、翻訳レベル（ＶＥＧＦ）のもの、両方のレベル（ＯＤＣ）のものもあり、またさらにはどちらのレベルでもない（ＧＡＰＤＨ）ものもある。ｍ７Ｇキャップへの結合は、ｍＲＮＡ輸送および４Ｅによる翻訳の両方に必要とされ、これらは両方とも細胞を形質転換させるこの能力に寄与する。
【０００８】
従来の見解が、４Ｅが他の配列特異的な特徴にかかわらずすべてのｍＲＮＡに見られるｍ７Ｇキャップに結合するというものであることを考えると、４ＥのサイクリンＤ１とＧＡＰＤＨを識別する能力は驚くべきことであることを、過去の観察結果は示す。したがって、核における４ＥのｍＲＮＡ認識を理解するという観点から、この機能的な識別は難問を提示する。
【０００９】
４Ｅ活性の上昇が、細胞、組織、器官内で発現されるｍＲＮＡの全収集物のうちのサブセットの翻訳（転写ではない）を選択的に仲介することが観察されている。特に、高レベルの４Ｅ活性が存在する細胞、腫瘍および／または癌において、複雑な５’ＵＴＲ領域を有するｍＲＮＡ転写産物の翻訳は選択的に上方制御される。上昇した４Ｅ活性が存在する環境において、そのために翻訳が上方制御される遺伝子のレパートリーは、細胞周期、血管形成、増殖などの制御に関与することが知られている主要な遺伝子である。しかしながら、４Ｅ輸送を制御する分子機構、および４Ｅ活性の制御がどのように利用されてこのようなプロセスを調節するのかは、あまり特徴付けられていない。
【００１０】
現在の診断、区分および層化方法からは、４Ｅまたは４Ｅレギュロン活性の検出、分析および治療モニタリングの向上がもたらされない。
【先行技術文献】
【非特許文献】
【００１１】
【非特許文献１】Ｃｕｌｊｋｏｖｉｃ，  Ｂ．、Ｔｏｐｉｓｉｒｏｖｉｃ，  Ｉ．およびＫ．Ｌ．Ｂ．  Ｂｏｒｄｅｎ  （２００７年）Ｃｏｎｔｒｏｌｌｉｎｇ  ｇｅｎｅ  ｅｘｐｒｅｓｓｉｏｎ  ｔｈｒｏｕｇｈ  ＲＮＡ  ｒｅｇｕｌｏｎｓ．  Ｃｅｌｌ  Ｃｙｃｌｅ  ６巻：６５〜６９頁
【非特許文献２】Ｃｕｌｊｋｏｖｉｃ，  Ｂ．、Ｔｏｐｉｓｉｒｏｖｉｃ，  Ｉ．、Ｓｋｒａｎｂａｎｅｋ，  Ｌ．、Ｒｕｉｚ−Ｇｕｔｉｅｒｒｅｚ，  Ｍ．、およびＫ．Ｌ．Ｂ．  Ｂｏｒｄｅｎ（２００６年）ｅＩＦ４Ｅ  ｉｓ  ａ  ｃｅｎｔｒａｌ  ｎｏｄｅ  ｏｆ  ａｎ  ＲＮＡ  ｒｅｇｕｌｏｎ  ｔｈａｔｇｏｖｅｒｎｓ  ｃｅｌｌｕｌａｒ  ｐｒｏｌｉｆｅｒａｔｉｏｎ．  Ｊ  Ｃｅｌｌ  Ｂｉｏｌ  １７５巻：４１５〜４２６頁
【非特許文献３】Ｋｅｅｎｅ，  Ｊ．Ｄ．（２００７年）ＲＮＡ  ｒｅｇｕｌｏｎｓ：Ｃｏｏｒｄｉｎａｔｉｏｎ  ｏｆ  ｐｏｓｔ−ｔｒａｎｓｃｒｉｐｔｉｏｎａｌ  ｅｖｅｎｔｓ．  Ｎａｔｕｒｅ  Ｒｅｖｉｅｗｓ  Ｇｅｎｅｔｉｃｓ  ８巻：５３３〜５４３頁
【発明の概要】
【課題を解決するための手段】
【００１２】
要旨
少なくとも１つの標的タンパク質の単一試料の多重分析、ならびに特定の実施形態においては少なくとも１つの標的タンパク質のリン酸化状態の同時分析を提供する、高感度ハイスループット質量分析に基づく定量アッセイが提供される。質量分析に基づくアッセイは、標的タンパク質（複数可）の濃縮方法を利用し、これにより抗体を使用せずに高感度なハイスループットアッセイの構築が可能となる。このアッセイは、４Ｅおよび４Ｅレギュロン成分レベルおよびリン酸化状態を検出するように適合させることができ、適合された場合、４Ｅ／４Ｅレギュロン生物学的経路の初の単一試料分析方法となる。
【００１３】
この方法は、４Ｅおよび４Ｅレギュロン成分活性の特定、診断およびモニタリング用の組成物のため、ならびに４Ｅおよび４Ｅレギュロン成分活性を調節する作用物質の発見のための様々な方法のいずれかに組み込むことができる。
【００１４】
この方法を実施するためのキットもまた、本明細書中に記述される。本発明は以下をも提供する：
（１）  単一試料中の少なくとも１つの標的タンパク質またはペプチドのレベルおよび／またはリン酸化状態を同時に決定するための方法であって、
（ａ）各標的タンパク質に対応する少なくとも１つの内部標準タンパク質またはペプチドを該試料に添加するステップと、
（ｂ）尿素を使用せずに、該試料中の該少なくとも１つの標的タンパク質またはペプチドを還元およびアルキル化するステップと、
（ｃ）該試料を少なくとも１つのプロテアーゼと接触させることによって、該少なくとも１つの標的タンパク質および該少なくとも１つの内部標準タンパク質またはペプチドを消化するステップと、
（ｄ）質量分析に基づく方法によって該消化断片を分析するステップと、
（ｅ）該断片の分析結果を使用して、該少なくとも１つの標的タンパク質またはペプチドのレベルおよび／またはリン酸化状態を決定するステップと
を含む方法。
（２）  前記少なくとも１つの標的タンパク質が４Ｅまたは４Ｅレギュロン成分である、項目１に記載の方法。
（３）  レベルおよび／またはリン酸化状態が決定される標的タンパク質またはペプチドが少なくとも２つ存在する、項目１に記載の方法。
（４）  前記少なくとも１つの標的タンパク質が４Ｅであり、４Ｅのレベルおよび／またはリン酸化状態が、４９８Ｄａの親質量を有する断片ＷＡＬＷＦＦＫの分析に少なくとも部分的に基づいて決定される、項目１に記載の方法。
（５）  前記決定において使用される親質量からの遷移が４９８→７４０、４９８→６２７および４９８→３７１である、項目４に記載の方法。
（６）  前記少なくとも１つの標的タンパク質が４Ｅレギュロン成分であり、ｅＩＦ４Ｅ（ｇｉ：５４８７３６２５）；サイクリンＤ１（ｇｉ：７７６２８１５２）；ＮＢＳ／ニブリン（ｇｉ：６７１８９７６３）；Ｐｉｍ−１（ｇｉ：  ３１５４３４００）；サイクリンＢ１（ｇｉ：３４３０４３７２）；サイクリンＡ２（ｇｉ：１６９５０６５３）；ＯＤＣ（ｇｉ：４５０５４８８）；ＶＥＧＦ（ｇｉ：７１０５１５７７）；Ｓｋｐ２（ｇｉ：１６３０６５９４、１６３０６５９３）；サイクリンＥ１（ｇｉ：１７３１８５５８）；ｃ−ｍｙｃ（ｇｉ：７１７７４０８２）；ＦＧＦ２（ｇｉ：１５３２８５４６０）；ＭＭＰ−９（ｇｉ：７４２７２２８６）；ｍｄｍ２（ｇｉ：４６４８８９０３）；カスパーゼ−９（ｇｉ：１４７９０１２３、１４７９０１２７）；ｂｃｌ２（ｇｉ：７２１９８１８８、７２１９８３４５）；Ｂｃｌ／ｘＬ（ｇｉ：２０３３６３３４）；Ｆｂｏｘ１（ｇｉ：１６３０６５８３）；ＣＧＧｂｐ１（ｇｉ：５６５５００５２）；Ｐ５４ｎｒｂ／ＮＯＮＯ．１（ｇｉ：３４９３２４１３）；セレノプロテイン  Ｓ（ｇｉ：４５４３９３４７）；ｅＩＦ４Ｅ−ＢＰ１（ｇｉ：１１７９３８３０８）；Ａｋｔ１（ｇｉ：６２２４１０１２、６２２４１０１０、６２２４１０１４）；ＰＩ３Ｋ（ｇｉ：５４７９２０８１、２１２３７７７２４）；ＧＳＫ３Ｂ（ｇｉ：２１３６１３３９）；ＨｕＲ（ｇｉ：３８２０１７１３）；およびｍＴＯＲ／ＦＲＡＰ１（ｇｉ：１９９２４２９８）からなる群から選択される、項目１に記載の方法。
（７）  前記少なくとも１つの標的タンパク質が４Ｅレギュロン成分であり、４Ｅ、４Ｅ−ＢＰ１、ＮＢＳ／ニブリン、Ｐｉｍ−１、ＶＥＧＦ、サイクリンＤ１、サイクリンＡ２、ＯＤＣ  ＡｋｔおよびＨｕＲからなる群から選択される、項目１に記載の方法。
（８）  前記質量分析に基づく方法がＬＣ−ＭＳ／ＭＳである、項目１に記載の方法。
（９）  項目１から７のいずれか一項に記載の方法を実施するための試薬を含むキット。
（１０）  使用説明書をさらに含む、項目９に記載のキット。
【００１５】
本発明のこれらの実施形態、別の実施形態、ならびにそれらの特徴および特性は、以下に続く説明、図面、および特許請求の範囲から明らかになるであろう。
【図面の簡単な説明】
【００１６】
【図１】下記の実施例において記述される４Ｅレベル検出のためのアッセイの実施形態によって得られた質量スペクトルを表す図である。図１は、配列番号２を開示する。
【図２−１】本明細書に記載のアッセイを使用して検出され得る４Ｅレギュロン成分の配列を表す図である。図２は、配列番号３〜１１を開示する。
【図２−２】本明細書に記載のアッセイを使用して検出され得る４Ｅレギュロン成分の配列を表す図である。図２は、配列番号３〜１１を開示する。
【図３−１】本明細書に記載のアッセイを使用して４Ｅレギュロン成分を分析するために使用することができるトリプシン消化を使用して生成される、４Ｅレギュロン成分の予想断片を表す図である。縦列は左から右まで以下のとおりである：モノアイソトピック質量、平均質量、開始残基、終了残基、トリプシンペプチド配列。図３は、上から順に配列番号１２〜３３をそれぞれ「Ａｋｔ」配列として開示し、上から順に配列番号３４〜４８をそれぞれ「Ｐｉｍ１」配列として開示し、上から順に配列番号４９〜７６をそれぞれ「ニブリン」配列として開示し、上から順に配列番号７７〜８８をそれぞれ「ＯＤＣ」配列として開示し、上から順に配列番号８９〜１０１をそれぞれ「ＶＥＧＦ」配列として開示し、上から順に配列番号１０２〜１１６をそれぞれ「サイクリンＤ１」配列として開示し、上から順に配列番号１１７〜１２０をそれぞれ「ｅＩＦ４Ｅ−ＢＰ１」配列として開示し、上から順に配列番号１２１〜１３８をそれぞれ「サイクリンＡ２」配列として開示し、上から順に配列番号１３９〜１５１をそれぞれ「Ｈｕｒ」配列として開示し、上から順に配列番号１５２〜１５８をそれぞれ「４Ｅ」配列として開示する。
【図３−２】本明細書に記載のアッセイを使用して４Ｅレギュロン成分を分析するために使用することができるトリプシン消化を使用して生成される、４Ｅレギュロン成分の予想断片を表す図である。縦列は左から右まで以下のとおりである：モノアイソトピック質量、平均質量、開始残基、終了残基、トリプシンペプチド配列。図３は、上から順に配列番号１２〜３３をそれぞれ「Ａｋｔ」配列として開示し、上から順に配列番号３４〜４８をそれぞれ「Ｐｉｍ１」配列として開示し、上から順に配列番号４９〜７６をそれぞれ「ニブリン」配列として開示し、上から順に配列番号７７〜８８をそれぞれ「ＯＤＣ」配列として開示し、上から順に配列番号８９〜１０１をそれぞれ「ＶＥＧＦ」配列として開示し、上から順に配列番号１０２〜１１６をそれぞれ「サイクリンＤ１」配列として開示し、上から順に配列番号１１７〜１２０をそれぞれ「ｅＩＦ４Ｅ−ＢＰ１」配列として開示し、上から順に配列番号１２１〜１３８をそれぞれ「サイクリンＡ２」配列として開示し、上から順に配列番号１３９〜１５１をそれぞれ「Ｈｕｒ」配列として開示し、上から順に配列番号１５２〜１５８をそれぞれ「４Ｅ」配列として開示する。
【図３−３】本明細書に記載のアッセイを使用して４Ｅレギュロン成分を分析するために使用することができるトリプシン消化を使用して生成される、４Ｅレギュロン成分の予想断片を表す図である。縦列は左から右まで以下のとおりである：モノアイソトピック質量、平均質量、開始残基、終了残基、トリプシンペプチド配列。図３は、上から順に配列番号１２〜３３をそれぞれ「Ａｋｔ」配列として開示し、上から順に配列番号３４〜４８をそれぞれ「Ｐｉｍ１」配列として開示し、上から順に配列番号４９〜７６をそれぞれ「ニブリン」配列として開示し、上から順に配列番号７７〜８８をそれぞれ「ＯＤＣ」配列として開示し、上から順に配列番号８９〜１０１をそれぞれ「ＶＥＧＦ」配列として開示し、上から順に配列番号１０２〜１１６をそれぞれ「サイクリンＤ１」配列として開示し、上から順に配列番号１１７〜１２０をそれぞれ「ｅＩＦ４Ｅ−ＢＰ１」配列として開示し、上から順に配列番号１２１〜１３８をそれぞれ「サイクリンＡ２」配列として開示し、上から順に配列番号１３９〜１５１をそれぞれ「Ｈｕｒ」配列として開示し、上から順に配列番号１５２〜１５８をそれぞれ「４Ｅ」配列として開示する。
【図３−４】本明細書に記載のアッセイを使用して４Ｅレギュロン成分を分析するために使用することができるトリプシン消化を使用して生成される、４Ｅレギュロン成分の予想断片を表す図である。縦列は左から右まで以下のとおりである：モノアイソトピック質量、平均質量、開始残基、終了残基、トリプシンペプチド配列。図３は、上から順に配列番号１２〜３３をそれぞれ「Ａｋｔ」配列として開示し、上から順に配列番号３４〜４８をそれぞれ「Ｐｉｍ１」配列として開示し、上から順に配列番号４９〜７６をそれぞれ「ニブリン」配列として開示し、上から順に配列番号７７〜８８をそれぞれ「ＯＤＣ」配列として開示し、上から順に配列番号８９〜１０１をそれぞれ「ＶＥＧＦ」配列として開示し、上から順に配列番号１０２〜１１６をそれぞれ「サイクリンＤ１」配列として開示し、上から順に配列番号１１７〜１２０をそれぞれ「ｅＩＦ４Ｅ−ＢＰ１」配列として開示し、上から順に配列番号１２１〜１３８をそれぞれ「サイクリンＡ２」配列として開示し、上から順に配列番号１３９〜１５１をそれぞれ「Ｈｕｒ」配列として開示し、上から順に配列番号１５２〜１５８をそれぞれ「４Ｅ」配列として開示する。
【図３−５】本明細書に記載のアッセイを使用して４Ｅレギュロン成分を分析するために使用することができるトリプシン消化を使用して生成される、４Ｅレギュロン成分の予想断片を表す図である。縦列は左から右まで以下のとおりである：モノアイソトピック質量、平均質量、開始残基、終了残基、トリプシンペプチド配列。図３は、上から順に配列番号１２〜３３をそれぞれ「Ａｋｔ」配列として開示し、上から順に配列番号３４〜４８をそれぞれ「Ｐｉｍ１」配列として開示し、上から順に配列番号４９〜７６をそれぞれ「ニブリン」配列として開示し、上から順に配列番号７７〜８８をそれぞれ「ＯＤＣ」配列として開示し、上から順に配列番号８９〜１０１をそれぞれ「ＶＥＧＦ」配列として開示し、上から順に配列番号１０２〜１１６をそれぞれ「サイクリンＤ１」配列として開示し、上から順に配列番号１１７〜１２０をそれぞれ「ｅＩＦ４Ｅ−ＢＰ１」配列として開示し、上から順に配列番号１２１〜１３８をそれぞれ「サイクリンＡ２」配列として開示し、上から順に配列番号１３９〜１５１をそれぞれ「Ｈｕｒ」配列として開示し、上から順に配列番号１５２〜１５８をそれぞれ「４Ｅ」配列として開示する。
【図３−６】本明細書に記載のアッセイを使用して４Ｅレギュロン成分を分析するために使用することができるトリプシン消化を使用して生成される、４Ｅレギュロン成分の予想断片を表す図である。縦列は左から右まで以下のとおりである：モノアイソトピック質量、平均質量、開始残基、終了残基、トリプシンペプチド配列。図３は、上から順に配列番号１２〜３３をそれぞれ「Ａｋｔ」配列として開示し、上から順に配列番号３４〜４８をそれぞれ「Ｐｉｍ１」配列として開示し、上から順に配列番号４９〜７６をそれぞれ「ニブリン」配列として開示し、上から順に配列番号７７〜８８をそれぞれ「ＯＤＣ」配列として開示し、上から順に配列番号８９〜１０１をそれぞれ「ＶＥＧＦ」配列として開示し、上から順に配列番号１０２〜１１６をそれぞれ「サイクリンＤ１」配列として開示し、上から順に配列番号１１７〜１２０をそれぞれ「ｅＩＦ４Ｅ−ＢＰ１」配列として開示し、上から順に配列番号１２１〜１３８をそれぞれ「サイクリンＡ２」配列として開示し、上から順に配列番号１３９〜１５１をそれぞれ「Ｈｕｒ」配列として開示し、上から順に配列番号１５２〜１５８をそれぞれ「４Ｅ」配列として開示する。
【発明を実施するための形態】
【００１７】
詳細な説明
便宜上、明細書、実施例、および添付の特許請求の範囲において使用されている特定の用語をここにまとめる。別途定義されない限り、本明細書において使用されるすべての技術的および科学的用語は、本発明が属する分野の当業者によって一般に理解されるものと同じ意味を有する。
【００１８】
用語「４Ｅ活性」または「４Ｅの活性」は、４Ｅの高発現、４Ｅの高いタンパク質レベル、および／または４Ｅレギュロン成分の活性化、および４Ｅのリン酸化状態を含むがこれらに限定されない、４Ｅ遺伝子またはタンパク質の生物学的作用のいずれかを含む。
【００１９】
用語「４Ｅレギュロン活性」または「４Ｅレギュロン成分活性」または「４Ｅレギュロン成分の活性」は、４Ｅレギュロンのメディエーターとしての４Ｅの活性を指し、また４Ｅレギュロン活性化、発現、輸送および／または４Ｅレギュロン成分の活性も含む。
【００２０】
用語「４Ｅレギュロン成分」は、４Ｅ
【００２１】
【化１】
0005749493.tif 000002
、そのレギュロン成分のいずれか、およびＨｕＲなどのレギュロンの任意の調節因子を指す。例示的な４Ｅレギュロン成分は、以下を含む：ｅＩＦ４Ｅ（ｇｉ：５４８７３６２５）（ＮＰ＿００１９５９，ＮＰ＿００１９５９．１）；ＣｙｃｌｉｎＤ１（ｇｉ：７７６２８１５２）（ＮＰ＿４４４２８４，ＮＰ＿４４４２８４．１）；ＮＢＳ／ニブリン（Ｎｉｂｒｉｎ）（ｇｉ：６７１８９７６３）（ＮＰ＿００２４７６，ＮＰ＿００２４７６．２）；Ｐｉｍ−１（ｇｉ：３１５４３４００）（ＮＰ＿００２６３９，ＮＰ＿００２６３９．１）；ＣｙｃｌｉｎＢ１（ｇｉ：３４３０４３７２）（ＮＰ＿１１４１７２，ＮＰ＿１１４１７２．１）；サイクリン（Ｃｙｃｌｉｎ）Ａ２（ｇｉ：１６９５０６５３）（ＮＰ＿００１２２８，ＮＰ＿００１２２８．１）；ＯＤＣ（ｇｉ：４５０５４８８）（ＮＰ＿００２５３０，ＮＰ＿００２５３０．１）；ＶＥＧＦ（ｇｉ：７１０５１５７７）（ＮＰ＿００３３６７，ＮＰ＿００３３６７．４）；Ｓｋｐ２（ｇｉ：１６３０６５９４，１６３０６５９３）（ＮＰ＿００５９７４，ＮＰ＿００５９７４．２，ＮＰ＿１１６０２６，ＮＰ＿１１６０２６．１）；ＣｙｃｌｉｎＥ１（ｇｉ：１７３１８５５８）（ＮＰ＿００１２２９，ＮＰ＿００１２２９．１）；ｃ−ｍｙｃ（ｇｉ：７１７７４０８２）（ＮＰ＿００２４５８，ＮＰ＿００２４５８．２）；ＦＧＦ２（ｇｉ：１５３２８５４６０，ｇｉ：１５３２８５４６１）（ＮＰ＿００２００６，ＮＰ＿００２００６．４，ＮＰ＿００１９９７，ＮＰ＿００１９９７．５）；ＭＭＰ−９（ｇｉ：７４２７２２８６）（ＮＰ＿００４９８５，ＮＰ＿００４９８５．２）；ｍｄｍ２（ｇｉ：４６４８８９０３）（ＮＰ＿００２３８３，ＮＰ＿００２３８３．２）；カスパーゼ（ｃａｓｐａｓｅ）−９（ｇｉ：１４７９０１２３，１４７９０１２７）（ＮＰ＿００１２２０，ＮＰ＿００１２２０．２，ＮＰ＿１２７４６３，ＮＰ＿１２７４６３．１）；ｂｃｌ２（ｇｉ：７２１９８１８８，７２１９８３４５）（ＮＰ＿０００６２４，ＮＰ＿０００６２４．２，ＮＰ＿０００６４８，ＮＰ＿０００６４８．２）；Ｂｃｌ／ｘＬ（ｇｉ：２０３３６３３４）（ＮＰ＿６１２８１５，ＮＰ＿６１２８１５．１）；Ｆｂｏｘ１（ｇｉ：１６３０６５８３）；ＣＧＧｂｐ１（ｇｉ：５６５５００５２）；Ｐ５４ｎｒｂ／ＮＯＮＯ．１（ｇｉ：３４９３２４１３）；セレノプロテイン（Ｓｅｌｅｎｏｐｒｏｔｅｉｎ）Ｓ（ｇｉ：３３２８５００２，ｇｉ：４５４３９３４７）（ＮＰ＿０６０９１５，ＮＰ＿０６０９１５．２，ＮＰ＿０１８４４５，ＮＰ＿０１８４４５．４）；ｅＩＦ４Ｅ−ＢＰ１（ｇｉ：１１７９３８３０８）（ＮＰ＿００４０８６，ＮＰ＿００４０８６．１）；Ａｋｔ１（ｇｉ：６２２４１０１２，６２２４１０１０，６２２４１０１４）（ＮＰ＿００１０１４４３１，ＮＰ＿００１０１４４３１．１，ＮＰ＿００５１５４，ＮＰ＿００５１５４．２，ＮＰ＿００１０１４４３２，ＮＰ＿００１０１４４３２．１）；ＰＩ３Ｋ（ｇｉ：５４７９２０８１，２１２３７７２４）（ＮＰ＿００６２０９，ＮＰ＿００６２０９．２，ＮＰ＿００２６４０，ＮＰ＿００２６４０．２）；ＧＳＫ３Ｂ（ｇｉ：２１３６１３３９）（ＮＰ＿００２０８４，ＮＰ＿００２０８４．２）；ＨｕＲ（ｇｉ：３８２０１７１４）（ＮＰ＿００１４１０，ＮＰ＿００１４１０．２）；およびｍＴＯＲ／ＦＲＡＰ１（ｇｉ：１９９２４２９８）（ＮＰ＿００４９４９，ＮＰ＿００４９４９．１）。以下に記載されている方法の特定のものにおいて使用される好ましい４Ｅレギュロン成分（成分）は、４Ｅ、４Ｅ−ＢＰ１、ＮＢＳ／ニブリン、Ｐｉｍ−１、ＶＥＧＦ、サイクリンＤ１、サイクリンＡ２、ＯＤＣおよびＨｕＲである。「レギュロン」は、スプライシング、輸出、安定性、局在化および／または翻訳を統合および制御する１つまたは複数のＲＮＡ結合タンパク質によって、配列特異的に協調して制御される多数のｍＲＮＡのファミリーである。
【００２２】
冠詞「ａ」および「ａｎ」は本明細書において、１つまたは２つ以上の（すなわち、少なくとも１つ）冠詞の文法的対象を指すために使用される。例示のために、「構成要素（ａｎ  ｃｏｍｐｏｎｅｎｔ）」は１つの構成要素または２つ以上の構成要素を意味する。
【００２３】
本明細書において使用される場合、用語「アミノ酸」は、天然起源および非天然起源の両方のアミノ酸、ならびにアミノ酸類似体および模倣物を意味することを意図する。天然起源のアミノ酸は、タンパク質生合成の際に利用される２０個の（Ｌ）−アミノ酸、ならびに例えば、４−ヒドロキシプロリン、ヒドロキシリシン、デスモシン、イソデスモシン、ホモシステイン、シトルリンおよびオルニチンなどの他のものを含む。非天然起源のアミノ酸は、例えば、（Ｄ）−アミノ酸、ノルロイシン、ノルバリン、ｐ−フルオロフェニルアラニン、エチオニンなどを含む。アミノ酸類似体は、天然および非天然起源アミノ酸の修飾型を含む。このような修飾は、例えば、アミノ酸上の化学基および部分の置換もしくは交換、またはアミノ酸の誘導体化によるものを含むことができる。アミノ酸模倣物は、例えば、参照アミノ酸の電荷および電荷間隔特性などの機能的に類似した性質を示す有機構造を含む。例えば、アルギニン（ＡｒｇまたはＲ）を模倣する有機構造は、類似した分子空間に位置し、天然起源Ａｒｇアミノ酸の側鎖のイプシロン−アミノ基と同程度の可動性を有する正電荷部分を有するはずである。模倣物はまた、アミノ酸のまたはアミノ酸官能基の最適な間隔および電荷相互作用を維持するように拘束された構造も含む。当業者は、どのような構造が機能的に等価なアミノ酸類似体およびアミノ酸模倣物を構成するかを知っており、または決定することができる。
【００２４】
本明細書において使用される用語「生体試料」、または「試料」は、生物からまたは生物の構成要素（例えば、細胞）から得られた試料のことを指す。試料は、任意の生体組織または体液であってもよい。しばしば、患者由来の試料である試料は「臨床試料」となる。このような試料は、痰、血液、血球（例えば、白血球）、組織もしくは細針生検試料、尿、腹水、および胸膜液、またはこれらの細胞を含むがこれらに限定されるものではない。生体試料はまた、組織学的目的のために採取された凍結切片などの組織の切片を含んでもよい。
【００２５】
用語「含む（ｃｏｍｐｒｉｓｅ）」および「含んでいる（ｃｏｍｐｒｉｓｉｎｇ）」は、包含的な、非限定的な意味において使用され、追加の構成要素が含まれてもよいことを意味する。
【００２６】
本明細書において使用される場合、ポリペプチドまたは親ポリペプチドに関して使用されるときの用語「断片」は、参照ポリペプチドまたは親ポリペプチドのカルボキシル末端、アミノ末端、または両領域のいずれかに対応する、任意の切断型または低質量形態を意味することを意図する。したがって、カルボキシルまたはアミノ末端からの単一アミノ酸の欠失は、親ポリペプチドの断片と考えられる。用語断片はしたがって、アミノおよび／またはカルボキシル末端でのアミノ酸の欠失、ならびに、例えば、アミノ酸側鎖が除去されるがペプチド結合が存続する修飾を含む。断片は、例えば、化学試薬、酵素、またはエネルギー供給を使用したポリペプチド切断によって作製される切断型ポリペプチドを含む。断片は、配列特異的または配列非依存的切断事象から生じる可能性がある。ポリペプチドを切断するために一般に使用される試薬の例は、酵素、例えば、トロンビン、トリプシン、キモトリプシンなどのプロテアーゼ、ならびに臭化シアン、酸、塩基、およびｏ−ヨード安息香酸などの化学物質を含む。断片はまた、例えば、すべての種類の断片化方法および衝突誘起解離を含む質量分析法によって作製することもできる。さらに、断片はまた、１つの切断事象の結果生じた切断型ポリペプチドをさらなる切断事象によってさらに切断することができる、多数の切断事象から生じる可能性もある。
【００２７】
用語「含む（ｉｎｃｌｕｄｉｎｇ）」は、「含むが限定されるものではない」を意味するために使用される。「含む」および「含むが限定されるものではない」は、交換して使用することができる。
【００２８】
「タンパク質」および「ポリペプチド」は、例えば、コード配列によりコードされ得る遺伝子産物を指す場合、本明細書において交換して使用することができる。「遺伝子産物」は、遺伝子の転写の結果として生成される分子を意味する。遺伝子産物は、遺伝子から転写されたＲＮＡ分子、ならびにこのような転写産物から翻訳されたタンパク質を含む。
【００２９】
いくつかの実施形態においては同時に、単一試料中の少なくとも１つの標的タンパク質のレベルおよび／またはリン酸化状態を決定するための方法であって、（ａ）各標的タンパク質に対応する少なくとも１つの内部標準タンパク質またはペプチドを試料に添加するステップと、（ｂ）尿素を使用せずに、試料中の少なくとも１つの標的タンパク質および内部標準を還元およびアルキル化するステップと、（ｃ）試料を少なくとも１つのプロテアーゼと接触させることによって、少なくとも１つの標的タンパク質および少なくとも１つの内部標準タンパク質またはペプチドを消化するステップと、（ｄ）質量分析に基づく方法によって前記消化断片を分析するステップと、（ｅ）断片の分析結果を使用して、少なくとも１つの標的タンパク質のレベルおよび／またはリン酸化状態を決定するステップとを含む方法が、一態様において提供される。
【００３０】
特定の実施形態において、レベルおよび／またはリン酸化状態が決定される標的タンパク質が少なくとも２、３、４、５、１０個以上存在する。特定の実施形態において、標的タンパク質のレベルおよび／またはリン酸化状態は同時に、すなわち多重化して決定される。
【００３１】
内部標準タンパク質またはペプチドは標的タンパク質（またはその断片）に対応するが、標的タンパク質と識別できるように内部標準タンパク質またはペプチドの質量を変更するために、適切な対応する内部マーカーアミノ酸（例えば、天然相当物よりも分子量が７ａｍｕ大きいＬｅｕ残基）を含む。タンパク質は、リン酸化、脂質付加、プレニル化、硫酸化、水酸化、アセチル化、ユビキチン化、グリコシル化、メチル化、パルミトイル化、ミリスチル化、炭水化物付加、補欠分子族または補因子付加、ジスルフィド結合の形成、タンパク質分解、巨大分子複合体への集合などを含む翻訳後修飾などの天然起源の修飾によって修飾されていてもよい。
【００３２】
タンパク質修飾はまた、例えば、化学合成により作製された非天然起源の誘導体、類似体およびその機能的模倣物を含むことができる。例えば、誘導体は、アルキル化、アシル化、カルバミル化、ヨウ素化、またはタンパク質を誘導体化する任意の修飾などのタンパク質の化学修飾を含むことができる。このような誘導体化分子は、例えば、遊離アミノ基が誘導体化されてアミン塩酸塩、ｐ−トルエンスルホニル基、カルボベンゾキシ基、ｔ−ブチルオキシカルボニル基、クロロアセチル基またはホルミル基を形成している分子を含む。遊離カルボキシル基は、誘導体化されて塩、メチルおよびエチルエステルもしくは他の種類のエステルまたはヒドラジドを形成することができる。遊離ヒドロキシル基は、誘導体化されてＯ−アシルまたはＯ−アルキル誘導体を形成することができる。ヒスチジンのイミダゾール窒素は、誘導体化されてＮ−ｉｍ−ベンジルヒスチジンを形成することができる。２０個の標準アミノ酸の１つまたは複数の天然起源アミノ酸誘導体、例えば、４−ヒドロキシプロリン、５−ヒドロキシリシン、３−メチルヒスチジン、ホモセリン、オルニチンまたはカルボキシグルタミン酸を含有するタンパク質もまた、誘導体または類似体として含まれ、ペプチド結合によって連結されていないアミノ酸を含むことができる。タンパク質修飾の別の具体例は、安定な同位体を有する部分を用いる試料中のタンパク質修飾を含む。例えば、２つの異なるタンパク質は、同位体の異なる部分により別々に標識することができ、このような異なる形で標識されたタンパク質は比較することができる。安定な同位体を用いるタンパク質修飾は、試料中の１つまたは複数のタンパク質の相対量を定量するためにもまた使用することができる。
【００３３】
ポリペプチドは、当業者に周知の様々な方法によって異なる形で標識することができ、例えば、特定の化学または生化学的方法が利用可能なポリペプチド中の任意の位置に標識を含むことができる。このような位置は、例えば、カルボキシルおよびアミノ末端、ならびにアミノ酸側鎖を含む。ポリペプチドおよび側鎖のカルボキシル末端を含むカルボキシル部分の標識の具体的な例は、メタノールを使用したエステル化である。さらに、システインを使用して、例えば、ヨードアセトアミド反応基によって標識を付与することができる。試料中のポリペプチドはまた、安定な同位体を有する部分によって標識することもできる。特定の安定な同位体において濃縮または除去される部分を生成することができ、例えば、元素の安定な同位体は、標識部分に組み込まれる前に除去することができるその元素の微量の異なる原子量の同位体を含有することができる。アミノ酸を標識するために使用することができる同位体標識は、例えば、重いおよび軽い同位体型の水素、炭素、酸素、窒素、硫黄およびセレンを含む。これらの軽原子に対応する重い同位体は、２Ｈ、１３Ｃ、１７Ｏ、１８Ｏ、１５Ｎ、３３Ｓ、３４Ｓ、および３５Ｓを含む。
【００３４】
異なる形で標識されたポリペプチドは、２つの異なる試料において１つのポリペプチド、または複数のポリペプチドの相対存在量を決定するのに有用である。２つの試料間の特定のポリペプチドの存在量の変化は、生物学的プロセスにおけるそのポリペプチドの役割を示し得る。例えば、別の試料は標識を含有する重い同位体で標識しながら、１つの試料のポリペプチドを、標識を含有する軽い同位体で標識することができる。２つの異なる試料は、例えば、正常細胞および癌細胞から抽出されたポリペプチドとすることができる。両方の試料中に存在する特定のポリペプチド種は、標識の質量または標識を付与するために使用した化学を除いて、２つの試料において化学的に同一のものであるはずである。異なる形で標識されたポリペプチドは、物理化学的に同じような挙動をするため、２つの試料中の同じポリペプチドは同様にイオン化または断片化するはずであるが、異なる形での標識における同位体の違いのために依然としてＭＳによる識別が可能である。したがって、同じポリペプチドの相対量を容易に比較および定量することができる。
【００３５】
標的タンパク質および内部標準タンパク質の還元およびアルキル化は、本質的に以前（Ｈａｌｅ  ＪＥら（２００４年）Ａｎａｌ  Ｂｉｏｃｈｅｍ３３３巻：１７４〜１８１頁）に記述されている通り、実施例に記述されている変更形態によって行うことができる。重要な変更点は、このステップにおいて尿素が使用されるべきではないことである。
【００３６】
還元およびアルキル化された標的タンパク質および内部標準タンパク質またはペプチドは、次いで断片化される。ポリペプチドは、化学試薬、酵素、またはエネルギー供給を使用したポリペプチド切断を含む多くの方法によって断片化することができる。断片は、配列特異的または配列非依存的切断事象から生じる可能性がある。ポリペプチドを切断するために一般に使用される試薬の例は、酵素、例えば、トロンビン、トリプシン、キモトリプシンなどのプロテアーゼ、ならびに臭化シアン、酸、塩基、およびｏ−ヨード安息香酸などの化学物質を含む。断片はまた、例えば、すべての種類の断片化方法および衝突誘起解離（ＣＩＤ）を含む質量分析法によって作製することもできる。さらに、断片はまた、１つの切断事象の結果生じた切断型ポリペプチドをさらなる切断事象によってさらに切断することができる、多数の切断事象から生じる可能性もある。元の、または親ポリペプチドから、いくつかの同一のまたは異なる断片を得ることができる。本発明の方法は、ポリペプチド断片集団の１つまたは複数のポリペプチド断片を使用することができる。
【００３７】
消化された断片の分析は、ハイスループット多重分析を可能にする任意の質量分析に基づく方法によるものとすることができる。質量分析は、分子を分離および特定するための高感度で正確な技術である。一般に、質量分析計は、イオン生成のためのイオン源およびイオンの質量電荷比を測定するための質量選択分析装置という２つの主要構成要素を有し、質量電荷比はこれらのイオンの質量の測定値であり、かつその測定値に変換される。いくつかのイオン化方法が当技術分野において公知であり、本明細書において記述されている。様々な質量分析法、例えば、四重極質量分析、イオントラップ質量分析、飛行時間型質量分析およびタンデム質量分析は、専用の検出手順の設計における柔軟性を許容する様々なイオン源の組合せおよび質量分析装置を利用することができる。加えて、質量分析装置は、イオン源からのすべてのイオンを質量分析装置に順次的または同時に送るようにプログラムすることができる。さらに、質量分析装置は、他のイオンを遮断しながら、質量分析装置へ送るために特定の質量のイオンを選択するようにプログラムすることができる。質量分析装置においてイオンの動きを正確に制御する能力は、例えば、多重実験による大量の断片が分析されている場合に有利となり得る、検出手順におけるより多くの選択肢を許容する。質量分析法は、当技術分野において周知である（ＢｕｒｌｉｎｇａｍｅらＡｎａｌ．  Ｃｈｅｍ．  ７０巻：６４７Ｒ〜７１６Ｒ頁（１９９８年）；ＫｉｎｔｅｒおよびＳｈｅｒｍａｎ、Ｐｒｏｔｅｉｎ  Ｓｅｑｕｅｎｃｉｎｇ  ａｎｄ  Ｉｄｅｎｔｉｆｉｃａｔｉｏｎ  Ｕｓｉｎｇ  Ｔａｎｄｅｍ  Ｍａｓｓ  Ｓｐｅｃｔｒｏｍｅｔｒｙ  Ｗｉｌｅｙ−Ｉｎｔｅｒｓｃｉｅｎｃｅ、Ｎｅｗ  Ｙｏｒｋ  （２０００年）を参照）。質量分析法に関連する基本的なプロセスは、試料由来の気相イオンの発生、およびこれらの質量測定である。１回の操作において数千のタンパク質種を分離、検出および定量することができる質量分析技術が存在する。
【００３８】
質量分析の前に、クロマトグラフィステップが行われてもよい。混合物を個々のタンパク質成分に分離する必要なく複雑な混合物中に含有されるタンパク質を同定するための、新たなクロマトグラフィに基づく方法が利用可能である。塩、酵素、または他の緩衝成分を除去するために、分離ステップもまた使用することができる。クロマトグラフィ、ゲル電気泳動、または沈殿などの当技術分野において周知のいくつかの方法が、試料を精製するために使用可能である。例えば、試料から塩を除去するためにサイズ排除クロマトグラフィまたは親和性クロマトグラフィを使用することができる。分離方法の選択は、試料の量によって決定し得る。例えば、少量の試料が入手可能である、または小型の装置が使用される場合、マイクロアフィニティクロマトグラフィ分離ステップを使用することができる。加えて、分離ステップが望ましいかどうか、および分離方法の選択は、使用される検出方法によって決定し得る。例えば、マトリックス支援レーザー脱離イオン化およびエレクトロスプレーイオン化は、試料から塩を除去することによって向上することができる。例えば、塩はマトリックス支援レーザー脱離イオン化のエネルギーを吸収することができ、イオン化効率の低下をもたらす。
【００３９】
好ましい実施形態において、方法はＬＣ−ＭＳ／ＭＳである。現在のところ、６０分間の１回のＬＣ−ＭＳ分析において１００００回までの連続運転を記録することができる。質量分析計の負荷サイクルが律速段階であることが多いが、質量分析計が進歩するにつれて、１回の運転で検出および／または配列決定することができるポリペプチド数は増加し続けるはずである。さらなる自動化およびオンライン分析は、質量分析の効率を大きく向上させるであろう。したがって、機器の効率が向上するにつれて、本発明の方法により検出および／または配列決定することができるポリペプチドの割合もまた、同時に増加するであろう。
【００４０】
いくつかの実施形態において、上述の方法は、４Ｅおよび／または少なくとも１つの４Ｅレギュロン成分のレベルおよび／またはリン酸化状態の特異的検出に適合させることができる。一実施形態において、少なくとも１つの標的タンパク質は４Ｅであり、９９８Ｄａの親質量を有する断片配列番号２  ＷＡＬＷＦＦＫの分析に少なくとも部分的に基づく。決定において使用される親質量からの遷移は、９９８→７４０、９９８→６２７および９９８→３７１である。別の実施形態において、少なくとも１つの標的タンパク質は４Ｅレギュロン成分であり、
ｅＩＦ４Ｅ（ｇｉ：５４８７３６２５）（ＮＰ＿００１９５９、ＮＰ＿００１９５９．１）；ＣｙｃｌｉｎＤ１（ｇｉ：７７６２８１５２）（ＮＰ＿４４４２８４、ＮＰ＿４４４２８４．１）；ＮＢＳ／ニブリン（Ｎｉｂｒｉｎ）（ｇｉ：６７１８９７６３）（ＮＰ＿００２４７６、ＮＰ＿００２４７６．２）；Ｐｉｍ−１（ｇｉ：３１５４３４００）（ＮＰ＿００２６３９、ＮＰ＿００２６３９．１）；サイクリン（Ｃｙｃｌｉｎ）Ｂ１（ｇｉ：３４３０４３７２）（ＮＰ＿１１４１７２、ＮＰ＿１１４１７２．１）；サイクリン（Ｃｙｃｌｉｎ）Ａ２（ｇｉ：１６９５０６５３）（ＮＰ＿００１２２８、ＮＰ＿００１２２８．１）；ＯＤＣ（ｇｉ：４５０５４８８）（ＮＰ＿００２５３０，ＮＰ＿００２５３０．１）；ＶＥＧＦ（ｇｉ：７１０５１５７７）（ＮＰ＿００３３６７、ＮＰ＿００３３６７．４）；Ｓｋｐ２（ｇｉ：１６３０６５９４，１６３０６５９３）（ＮＰ＿００５９７４、ＮＰ＿００５９７４．２、ＮＰ＿１１６０２６、ＮＰ＿１１６０２６．１）；サイクリン（Ｃｙｃｌｉｎ）Ｅ１（ｇｉ：１７３１８５５８）（ＮＰ＿００１２２９、ＮＰ＿００１２２９．１）；ｃ−ｍｙｃ（ｇｉ：７１７７４０８２）（ＮＰ＿００２４５８、ＮＰ＿００２４５８．２）；ＦＧＦ２（ｇｉ：１５３２８５４６０、ｇｉ：１５３２８５４６１）（ＮＰ＿００２００６、ＮＰ＿００２００６．４、ＮＰ＿００１９９７，ＮＰ＿００１９９７．５）；ＭＭＰ−９（ｇｉ：７４２７２２８６）（ＮＰ＿００４９８５、ＮＰ＿００４９８５．２）；ｍｄｍ２（ｇｉ：４６４８８９０３）（ＮＰ＿００２３８３、ＮＰ＿００２３８３．２）；カスパーゼ（ｃａｓｐａｓｅ）−９（ｇｉ：１４７９０１２３、１４７９０１２７）（ＮＰ＿００１２２０，ＮＰ＿００１２２０．２、ＮＰ＿１２７４６３、ＮＰ＿１２７４６３．１）；ｂｃｌ２（ｇｉ：７２１９８１８８、７２１９８３４５）（ＮＰ＿０００６２４，ＮＰ＿０００６２４．２、ＮＰ＿０００６４８、ＮＰ＿０００６４８．２）；Ｂｃｌ／ｘＬ（ｇｉ：２０３３６３３４）（ＮＰ＿６１２８１５，ＮＰ＿６１２８１５．１）；Ｆｂｏｘ１（ｇｉ：１６３０６５８３）；ＣＧＧｂｐ１（ｇｉ：５６５５００５２）；Ｐ５４ｎｒｂ／ＮＯＮＯ．１（ｇｉ：３４９３２４１３）；セレノプロテイン  Ｓ（ｇｉ：３３２８５００２、ｇｉ：４５４３９３４７）（ＮＰ＿０６０９１５、ＮＰ＿０６０９１５．２，ＮＰ＿０１８４４５、ＮＰ＿０１８４４５．４）；ｅＩＦ４Ｅ−ＢＰ１（ｇｉ：１１７９３８３０８）（ＮＰ＿００４０８６、ＮＰ＿００４０８６．１）；Ａｋｔ１（ｇｉ：６２２４１０１２、６２２４１０１０、６２２４１０１４）（ＮＰ＿００１０１４４３１、ＮＰ＿００１０１４４３１．１、ＮＰ＿００５１５４，ＮＰ＿００５１５４．２、ＮＰ＿００１０１４４３２、ＮＰ＿００１０１４４３２．１）；ＰＩ３Ｋ（ｇｉ：５４７９２０８１、２１２３７７２４）（ＮＰ＿００６２０９、ＮＰ＿００６２０９．２、ＮＰ＿００２６４０、ＮＰ＿００２６４０．２）；ＧＳＫ３Ｂ（ｇｉ：２１３６１３３９）（ＮＰ＿００２０８４、ＮＰ＿００２０８４．２）；ＨｕＲｇｉ：３８２０１７１４）（ＮＰ＿００１４１０，ＮＰ＿００１４１０．２）；およびｍＴＯＲ／ＦＲＡＰ���（ｇｉ：１９９２４２９８）（ＮＰ＿００４９４９、ＮＰ＿００４９４９．１）からなる群から選択される。以下に記載されている方法の特定のものにおいて使用される好ましい４Ｅレギュロン成分（成分）は、４Ｅ、４Ｅ−ＢＰ１、ＮＢＳ／ニブリン、Ｐｉｍ−１、ＶＥＧＦ、サイクリンＤ１、サイクリンＡ２、ＯＤＣおよびＨｕＲである。好ましいレギュロン成分は、４Ｅレギュロン成分を含み、４Ｅ、４Ｅ−ＢＰ１、ＮＢＳ／ニブリン、Ｐｉｍ−１、ＶＥＧＦ、サイクリンＤ１、サイクリンＡ２、ＯＤＣ  ＡｋｔおよびＨｕＲからなる群から選択される。
【００４１】
上述の４Ｅおよび／または少なくとも１つの４Ｅレギュロン成分のレベルおよび／またはリン酸化状態を検出するためのアッセイは、４Ｅおよび４Ｅレギュロン成分活性の特定、診断およびモニタリング用の組成物のため、ならびに４Ｅおよび４Ｅレギュロン成分活性を調節する作用物質の発見のための様々な方法のいずれかに組み込むことができる。このような方法は、両出願ともに参照によりその全体が本明細書に組み込まれる２００６年１２月２８日に出願されたＰＣＴ出願ＵＳ０６／０４９４５０および２００７年１０月１日に出願されたＰＣＴ出願ＵＳ０７／０２１１６７において広く記述されている。
【００４２】
特定の実施形態において、４Ｅまたは４Ｅレギュロン成分のレベルおよび／またはリン酸化状態は、アクチンまたはＧＡＤＰＨなどの対照のレベルおよび／またはリン酸化状態と比較することができる。
【００４３】
本発明は、前述の方法のいずれかを実施するためのキットを提供する。特定の実施形態において、キットは、内部標準タンパク質ならびに標準および標的タンパク質の断片を作出するための試薬を含んでもよい。キットは、対照、緩衝液、および使用説明書をさらに含んでもよい。キット構成要素は、前述の方法の手動の、または一部もしくは完全に自動化された実施用に包装できる。このようなキットは、例えば、イメージング、診断、治療、および他の用途を含む様々な用途を有し得る。
【実施例】
【００４４】
本発明を、限定するものとは決して解釈されるべきではない以下の実施例によりさらに説明する。本出願全体にわたって引用される、参考文献、発行済み特許、公開済みまたは未公開特許出願を含むすべての引用される参照物の内容は、参照により本明細書に明示的に組み込まれる。
【００４５】
４Ｅおよび４Ｅレギュロン成分レベルの単一試料の多重分析、ならびに４Ｅおよび４Ｅレギュロン成分リン酸化状態の潜在的な同時分析を提供する、４Ｅおよび４Ｅレギュロン成分のための高感度ハイスループット質量分析に基づく定量アッセイが開発され、４Ｅ／４Ｅレギュロン生物学的経路の初の単一試料分析を提供した。
【００４６】
質量分析に基づくアッセイは、標的タンパク質（複数可）の濃縮方法を利用し、これにより抗体を使用せずに高感度なハイスループットアッセイの構築が可能となる。濃縮方法が余分なステップまたは試薬を試料調製に導入しないように、濃縮ステップは還元／アルキル化ステップに組み込まれた。多くの他のタンパク質のための質量分析に基づくアッセイの開発に、同様の手法が適用できる。他の種類の、抗体に基づくものでない濃縮方法を、様々な異なるタンパク質のための質量分析に基づくアッセイを開発するためにうまく採用した。アッセイの処理量は、大部分の抗体に基づくアッセイに匹敵するかまたはそれより高いものであった。例えば、ロボットシステムを使用せずに、１人の人間が１週間で１０００個を超える試料を２連で処理した。
【００４７】
試薬：Ｔｒｙｐｓｉｎ−ｇｏｌｄはＰｒｏｍｅｇａ（カタログ番号Ｖ５２８０）から購入した。炭酸アンモニウム、重炭酸アンモニウム、２−ヨードエタノール、およびトリエチルホスフィンはＳｉｇｍａから購入した。質量分析グレードのギ酸はＳｉｇｍａから購入した。０．１％ギ酸含有水はＦｉｓｈｅｒ  Ｓｃｉｅｎｔｉｆｉｃから購入した。アセトニトリル（ＣＡＮ）はＢｕｒｄｉｃｋ  ＆  Ｊａｃｋｓｏｎから購入した。合成ペプチドはＭｉｄｗｅｓｔ  Ｂｉｏｔｅｃｈ（Ｆｉｓｈｅｒｓ、ＩＮ）から購入した。
【００４８】
試料調製：タンパク質をトリプシンで消化した後、高速液体クロマトグラフィと１列に結合されたタンデム質量分析（ＬＣ−ＭＳ／ＭＳ）を行った。標的ペプチド（複数可）がＣｙｓ残基を含有する場合、トリプシン消化の前にまず血清／血漿タンパク質を還元およびアルキル化した。血清または血漿タンパク質の還元およびアルキル化は、本質的に以前（Ｈａｌｅ  ＪＥら（２００４年）Ａｎａｌ  Ｂｉｏｃｈｅｍ３３３巻：１７４〜１８１頁）に記述されている通り、以下の変更形態によって１ステップで行った。最も重要なことだが、結合した還元／アルキル化ステップの際に尿素が省かれた。典型的には、ポリプロピレン容器において１０μＬの血清または血漿試料を５０μＬの炭酸アンモニウム溶液（０．１Ｍ、ｐＨ１１）で希釈し、氷上に置き、その後室温で８０μＬの還元／アルキル化カクテル（Ｒ／Ａカクテル）と混合した。Ｒ／Ａカクテルは、０．５ｍＬの２−ヨードエタノール、０．１２５ｍＬのトリエチルホスフィン、および２４．３７５ｍＬのアセトニトリルを混合することにより調製した（２−ヨードエタノールは安定剤として銅粒が付いており、Ｒ／Ａカクテルの調製直前に、０．４５μｍのスピンフィルター（Ｍｉｌｌｉｐｏｒｅ  ＵＦＣ３０ＨＶ００）によりろ過した）。少量の試料に関しては、血清をリン酸緩衝食塩水（ＰＢＳ）で事前希釈することにより全量を同じに維持した。多量の試料に関しては、各試薬量を適宜増加させた。アルカリ性のｐＨにおいて希釈された試料へＲ／Ａカクテルを添加した後、試料を十分に混合し、一定に振とうしながら３７℃で１時間インキュベートした。還元およびアルキル化された試料を４０００ｒｐｍで４分間遠心分離にかけ、次いでＳｏｌｖＩｎｅｒｔフィルタープレート（Ｍｉｌｌｉｐｏｒｅ、ＭＳＲＬＮ０４５０）によりろ過して沈殿したタンパク質を除去した。溶媒ならびに残りの還元／アルキル化試薬を、典型的には高温（７５℃）下で６時間、その後室温でさらに１２〜１８時間、ＳｐｅｅｄＶａｃ（ＧｅｎｅＶａｃ製カタログ番号ＤＵＣ−１２０６０−Ｃ００  ｍｉＶａｃ  ＤＵＯ濃縮機）によってろ液から除去した。乾燥した試料は、トリプシン（最初の血漿または血清量１０μＬ当たり１μｇのＴｒｙｐｓｉｎ−ｇｏｌｄ）を含有する１００μＬの１００ｍＭ重炭酸アンモニウム溶液（ＡＢＣ）に溶解した。試料をＳｐｅｅｄＶａｃから取り出して直ちにＴｒｙｐｓｉｎ−ｇｏｌｄにより再構成した場合に、最良の結果が得られた。貫通可能なヒートシーリングアルミホイル（ＡＢｇｅｎｅ、カタログ番号ＡＢ−０７５７）を使用して、ヒートシーラー（Ｅｐｐｅｎｄｏｒｆ、カタログ番号５３９０）を使用してプレートを密封し、トリプシンで６時間〜一晩インキュベートし、次いでＳｏｌｖＩｎｅｒｔフィルタープレート（Ｍｉｌｌｉｐｏｒｅ、ＭＳＲＬＮ０４５０）によりろ過した後、５０μＬをＬＣ−ＭＳ／ＭＳシステムに注入した。
【００４９】
ハイスループット処理のための試料調製手順の最適化：還元／アルキル化反応は、個々のウェルの周囲に高い縁のある９６ウェルＰＣＲプレート（Ｒｏｂｂｉｎｓ、Ｓｕｒｒｅｙ  ＵＫ、カタログ番号１０５５−００−０）上で行った。内部標準ペプチドの前駆体は、適切な対応する内部マーカーアミノ酸（例えば、天然相当物よりも分子量が７ａｍｕ大きいＬｅｕ残基）を含み、氷冷された炭酸アンモニウム緩衝液において５０ｎＭ濃度で調製された。５０マイクロリットルのこの溶液を、ＭｕｌｔｉＤｒｏｐ（Ｔｈｅｒｍｏ）を使用してＰＣＲプレートに分配した。ＰＣＲプレートを氷冷したまま、１０μＬの血清または血漿試料を２連で移し、混合した。Ｒ／Ａカクテルを、８チャンネル連続分注ピペットを使用して室温で添加した。溶液中の高蒸気圧のアセトニトリルのため、ピペットチップの事前洗いは試薬の正確な送達のために重要である。貫通可能なヒートシーリングアルミホイル（ＡＢｇｅｎｅ、カタログ番号ＡＢ−０７５７）を使用して、ヒートシーラー（Ｅｐｐｅｎｄｏｒｆ、カタログ番号５３９０）を使用してプレートを密封し、次いで十分に混合した。プレートをゆっくりと振とうしながら３７℃で１時間インキュベートした。プレートを、４０００ｒｐｍで４分間遠心分離した後、密封しているホイルを剥いだ。縁の高いＰＣＲプレート（ＵＳＡ  Ｓｃｉｅｎｔｉｆｉｃ製ＴｅｍｐＰｌａｔｅ  ＩＩ、カタログ番号１４０２−９６００）の上のＭｉｌｌｉｐｏｒｅ（ＭＳＲＬＮ０４５０）からＳｏｌｖＩｎｅｒｔフィルタープレートを押すことによって、ろ過アセンブリを準備した。このフィルタープレートの出口は受取プレートの高くなった縁に収まる。ろ過アセンブリを試料の上に上下逆の位置に置き、試料プレートの高くなった縁がフィルタープレートの個々のウェルに挿入されるようにろ過サンドイッチを形成した。ろ過サンドイッチを反転し、１０００ｒｐｍで１分間、次いで４０００ｒｐｍで４分間遠心分離にかけた。前述のとおりＳｐｅｅｄＶａｃによってろ液を乾燥させ、次いで試料をＴｒｙｐｓｉｎ−ｇｏｌｄで再構成し、プレートを密封して３７℃で一晩消化した。試料調製方法は２つのろ過ステップを伴うため、最終試料プレートは最初の還元／アルキル化プレートと同じ向きである。前述のように、または標的タンパク質／ペプチドに適するように、濃縮手順が必要に応じて採用される。
【００５０】
４Ｅおよび４Ｅレギュロン成分ペプチドのＬＣ−ＭＳ／ＭＳ：４Ｅおよび個々の４Ｅレギュロン成分由来のトリプシンペプチドが、４ＥおよびｅＩＦ４Ｅレギュロン成分の定量のための１列に並んだＬＣ−ＭＳ／ＭＳを使用して測定および検出される。対応する標準ペプチドにおいて、Ｌｅｕ残基（または適切な内部標準重同位体標識アミノ酸残基）は、Ｎ１５およびＣ１３により均一に標識される。干渉するペプチドはＨＰＬＣシステム（Ｔｈｅｒｍｏ  Ｆｉｎｎｉｇａｎ製Ｓｕｒｖｅｙｏｒ  ＭＳポンプ）によって、Ｃ１８逆相カラム（ＸＢｒｉｄｇｅ  ２．５μｍ×２．１ｍｍ×５０ｍｍ）上で、必要に応じて以下の２溶媒勾配系（溶媒Ａ、０．１％ギ酸／Ｈ２Ｏ；溶媒Ｂ、０．１％ギ酸／アセトニトリル）を使用して分離した。ＨＰＬＣカラムは５０℃で維持し、溶媒は室温に維持し、試料は４℃で維持した。典型的には、全量１００μＬのうち５０μＬの試料を、１００μＬの試料注入ループを使用して注入し、ペプチドを指示された時間に溶出した。ＨＰＬＣカラムが平衡状態に達することができるように２つの水ブランク試料を実際の試料の前に注入した。以前の運転のｐＮＴＴＰペプチドの典型的なキャリーオーバーは０．１％未満であった。
【００５１】
ＥＳＩ源（Ｔｈｅｒｍｏ  Ｆｉｎｎｉｇａｎ）を備えたＬＴＱイオントラップ四重極質量分析計を使用して、陽イオン質量分析を得た。ＨＰＬＣ運転の２〜３分の間にカラムの全流出物をＥＳＩ源に向け、残りは質量分析計からそらした。高流速を供給するために、移送管温度（３１２℃）および窒素シースフローを含む機器の特定のパラメータを手動で調整する必要があった。
【００５２】
すべてのマイクロスキャンは、トラップのためにイオン取り込み時間５０ｍｓの１つのマイクロスキャンに設定した。機器による方法において、ＭＳ−ＭＳ条件に以下のパラメータを使用した：正規化衝突エネルギー、２１；活性化Ｑ、０．１８０；活性化時間、５０ｍｓ。標準ペプチドならびに標的４Ｅおよび４ｅレギュロンペプチド両方について、３回のＭＳ−ＭＳ遷移を測定した。
【００５３】
ピーク積分およびカーブフィッティング：ピーク積分は、ＸＣａｌｉｂｅｒソフトウェア内の処理方法を使用して以下のパラメータを使用して行った：ピーク積分方法、ＩＣＩＳ；スムージング点、５；ベースライン領域、１５；エリアノイズファクター、１；標準ペプチドに関してピークノイズファクター、３および標的４Ｅおよび４Ｅレギュロンペプチドに関して５；拘束ピーク幅、５％ピーク高さおよび３％テーリングファクター；詳細オプション、反復ノイズ法。３回の遷移の間の各ペプチドの同位体分布および相対強度が、合成ペプチドのものと合致することを試験および確認した。標準ペプチドと４Ｅおよび４Ｅレギュロン標的ペプチド間の比を各遷移について計算し、次いで３つの比の数値平均を得た。１／Ｙ＾２を重み付け係数とするＧｒａｐｈＰａｄ  Ｐｒｉｓｍ（ＧｒａｐｈＰａｄ  Ｓｏｆｔｗａｒｅ，Ｉｎｃ．、Ｓａｎ  Ｄｉｅｇｏ、ＣＡ）の非線形カーブフィッティング関数を使用して、較正基準試料のＮＰＩ値を、シグモイド曲線（ＮＰＩ）下限値＋（上限値−下限値）／（１＋１０＾（（ｌｏｇＥＣ５０−Ｘ）＊（斜面勾配）））（式中、Ｘは濃度の対数；下限値、上限値、ＥＣ５０および斜面勾配はデータのカーブフィッティングによって決定されるパラメータである）に適合させた。全濃度範囲にわたって等しく良好に機能する較正曲線を得るために、重み付け係数を使用することが重要であった。
【００５４】
４Ｅレベルおよびリン酸化状態の検出のためのアッセイの実施形態：４Ｅを検出するために使用されたペプチドは、配列番号２  ＷＡＬＷＦＦＫであった。この親質量は９９８であり、使用された遷移は９９８→７４０、９９８→６２７および９９８→３７１であった。
【００５５】
前述のとおり決定された質量スペクトルを、図１に示す。
【００５６】
図２および３中のものなどの他のペプチドが、由来する４Ｅレギュロン成分を検出するために前述のアッセイにおいて使用されてもよい。
【００５７】
４Ｅレギュロン成分レベルおよびリン酸化状態の検出のためのアッセイの実施形態：前述の方法を使用して検出され得る４Ｅレギュロン成分の配列を、図２に示す。各成分を分析するために使用された予想消化産物ペプチドを、図３に示す。
【図２−１】
0005749493.tif 000003
【図２−２】
0005749493.tif 000004
【図１】
0005749493.tif 000005
【図３−１】
0005749493.tif 000006
【図３−２】
0005749493.tif 000007
【図３−３】
0005749493.tif 000008
【図３−４】
0005749493.tif 000009
【図３−５】
0005749493.tif 000010
【図３−６】
0005749493.tif 000011
【配列表】
0005749493000001.app